(57)【要約】【課題】前方の競技場側から後方に向けて上る方向に傾斜して観客席が上面に設けられた床部を備えた建築物において、構造設計の簡素化及び工期短縮を実現可能な技術を提供する。【解決手段】床部として、最前部分に位置する最前床部１１と、当該最前床部１１以外の主床部３１Ａ，３１Ｂと、を備え、最前床部１１を有する最前構造物１０が、主床部３１Ａ，３１Ｂを有する主構造物３０から分離されて構築され、最前床部１１と主床部３１Ａ，３１Ｂとを連設させる連設部２５を備えた。【選択図】図１
2020084535.tif 000002
【特許請求の範囲】
【請求項１】
前方の競技場側から後方に向けて上る方向に傾斜して観客席が上面に設けられた床部を備えた建築物であって、
前記床部として、最前部分に位置する最前床部と、当該最前床部以外の主床部と、を備え、
前記最前床部を有する最前構造物が、前記主床部を有する主構造物から分離されて構築され、
前記最前床部と前記主床部とを連設させる連設部を備えた建築物。
【請求項２】
前記最前構造物が、２階床高さ未満の構造物として構成されていると共に、
前記主構造物が、２階床高さ以上の構造物として構成されている請求項１に記載の建築物。
【請求項３】
前記最前構造物を支持する基礎が、直接基礎であり、
前記主構造物を支持する基礎が、杭基礎である請求項１又は２に記載の建築物。
【請求項４】
前記最前構造物が、前記直接基礎上に左右方向に沿って並列状態で構築されて上端に階段状の支持部を有する複数の支持壁と、当該複数の支持壁の支持部に亘って架設され、前記最前床部を構成するプレキャストコンクリート製の床板とを備えて構成されている請求項３に記載の建築物。
【発明の詳細な説明】
【技術分野】
【０００１】
本発明は、前方の競技場側から後方に向けて上る方向に傾斜して観客席が上面に設けられた床部を備えた建築物に関する。
【背景技術】
【０００２】
前方の競技場側から後方に向けて上る方向に傾斜して観客席が上面に設けられた床部を備えた建築物は、通常、一体的に構築された一の構造物に床部全体が設けられている（例えば、特許文献１を参照。）。また、特許文献１に記載の建築物では、床部全体を設けた一の構造物が杭基礎により支持されている。
【先行技術文献】
【特許文献】
【０００３】
【特許文献１】特開２０１５−２２９８８１号公報
【発明の概要】
【発明が解決しようとする課題】
【０００４】
上記特許文献１に記載の建築物では、比較的広い地盤上に床部全体を設けた構造物が構築されることになる。よって、その構造物を支持するための杭基礎を比較的広範囲に設ける必要があり、高コスト化や工期の長期化等の問題が生じる。また、床部全体を設けた構造物は、床部の前方に向かう下り傾斜が略地盤高さに至るまで続くような不整形なものとなる。このことで、構造物の構造設計が煩雑なものとなる上に、それを構築するのに必要な工期の長期化が懸念される。
この実情に鑑み、本発明の主たる課題は、前方の競技場側から後方に向けて上る方向に傾斜して観客席が上面に設けられた床部を備えた建築物において、構造設計の簡素化及び工期短縮を実現可能な技術を提供する点にある。
【課題を解決するための手段】
【０００５】
本発明の第１特徴構成は、前方の競技場側から後方に向けて上る方向に傾斜して観客席が上面に設けられた床部を備えた建築物であって、
前記床部として、最前部分に位置する最前床部と、当該最前床部以外の主床部と、を備え、
前記最前床部を有する最前構造物が、前記主床部を有する主構造物から分離されて構築され、
前記最前床部と前記主床部とを連設させる連設部を備えた点にある。
【０００６】
本構成によれば、前方の競技場側から後方に向けて上る方向に傾斜して観客席が上面に設けられた床部を備えた建築物が、互いに分離された最前構造物と主構造物とから構成されることになる。よって、最前構造物と主構造物との夫々の建設工事を工種を分けて並行して行うなどして、工期の短縮を図ることができる。
更に、低い側の最前床部を有する最前構造物が分離された主構造物は、従来のように低い側から高い側に亘る床部全体を設けた構造物と比較して、主床部の前方に向かう下り傾斜が地盤よりも充分に高い高さまでで終わるような整形なものとなる。よって、この主構造物の構造設計を簡素化することができる上に、それを構築するために必要な工期の短縮が可能となる。
従って、本発明により、前方の競技場側から後方に向けて上る方向に傾斜して観客席が上面に設けられた床部を備えた建築物において、構造設計の簡素化及び工期短縮を実現可能な技術を提供することができる。
【０００７】
本発明の第２特徴構成は、前記最前構造物が、２階床高さ未満の構造物として構成されていると共に、
前記主構造物が、２階床高さ以上の構造物として構成されている点にある。
【０００８】
本構成によれば、２階床高さ未満の最前構造物と２階床高さ以上の主構造物とを前後に配置して、当該最前構造物が有する最前床部と主構造物が有する主床部とを連設させることができる。このことで、主構造物は、１階床高さに満たない部分を有さない一層整形なものとなるので、この主構造物の構造設計を一層簡素化して工期短縮を図ることができる。
一方、最前構造物では、１階層分の内部空間を確保可能なものとなるので、当該空間を例えば倉庫等として有効利用することができる。また、最前構造物の最前床部と主構造物の主床部との連設部が２階床高さ部分となることから、当該２階床高さ部分に設けられた梁を用いて、主床部の前端部を支持することができる。
【０００９】
本発明の第３特徴構成は、前記最前構造物を支持する基礎が、直接基礎であり、
前記主構造物を支持する基礎が、杭基礎である点にある。
【００１０】
本構成によれば、主構造物から分離された最前構造物は、比較的低重量であることから、それを支持する基礎を比較的低コスト且つ短工期で構築可能な直接基礎とすることができる。一方、主構造物は、比較的高重量であることから、それを支持する基礎を比較的高コスト且つ長工期で構築される杭基礎とすることができる。そして、主構造物の杭基礎の設置範囲を、従来のように床部全体を設けた一の構造物全体を杭基礎で支持する場合と比較して狭い範囲に制限して、杭基礎の設置工事による高コスト化及び長工期化を抑制することができる。
【００１１】
本発明の第４特徴構成は、前記最前構造物が、前記直接基礎上に左右方向に沿って並列状態で構築されて上端に階段状の支持部を有する複数の支持壁と、当該複数の支持壁の支持部に亘って架設され、前記最前床部を構成するプレキャストコンクリート製の床板とを備えて構成されている点にある。
【００１２】
本構成によれば、直接基礎上に並列状態で複数の支持壁を構築し、それら複数の支持壁の上端に形成された階段状の支持部に亘って、予め作成されたプレキャストコンクリート製の床板を架設させることができる。よって、当該床板を最前床部とする最前構造物を一層簡単且つ短工期で構築することができる。
また、このような最前構造物では、左右方向に延びる梁を省略することができる。よって、一層の低コスト化を図ることができる上に、内部空間を充分広くとって、当該内部空間の利用性を向上することができる。
【図面の簡単な説明】
【００１３】
【図１】本実施形態の建築物の立面図
【図２】本実施形態の建築物の最前床部における拡大立面図
【図３】本実施形態の建築物の最前床部における拡大平面図
【発明を実施するための形態】
【００１４】
本発明の実施形態について図面に基づいて説明する。
図１に示す建築物１００は、前方の競技場Ｇ側から後方に向けて上る方向に傾斜して観客席Ｓが上面に設けられた床部１１，３１Ａ，３１Ｂを備えた建築物として構成されている。尚、図１では、観客席Ｓの一部のみを描画しているが、この観客席Ｓの形態や配置等については適宜変更することができる。
【００１５】
かかる建築物１００は、詳細については後述するが、競技場Ｇに隣接する最前部分に構築された最前構造物１０と、当該最前構造物１０からみて競技場Ｇとは反対側の後方部分に構築された主構造物３０と、これらの上方を覆う屋根構造物５０とを有して構成されている。そして、上記最前構造物１０の上面には、上記床部としての競技場Ｇ近傍から後方に向けて上る方向に傾斜する階段状の最前床部１１が設けられている。一方、上記主構造物３０の上面には、最前床部１１の後端部近傍から後方に向けて上る方向に傾斜する階段状の主床部３１Ａ，３１Ｂが設けられている。また、主床部３１Ａ，３１Ｂは、前半部分の前側主床部３１Ａと後半部分の後側主床部３１Ｂとで構成されており、後側主床部３１Ｂは、前側主床部３１Ａの後端部の上方位置から後方に向けて上る方向に傾斜するように設けられている。
尚、本実施形態において、床部１１，３１Ａ，３１Ｂは階段状の所謂段床部として構成するが、例えば上面を傾斜面として平板状に構成するなど、適宜形態を変更することもできる。
【００１６】
上記床部１１，３１Ａ，３１Ｂを構成する床板１２，３２は、プレキャストコンクリートで構成されており、例えば２段分の床板１２，３２を予めプレキャストコンクリートで構築し、その構築したプレキャストコンクリート製の床板１２，３２を複数並べて床部１１，３１Ａ，３１Ｂを構築することができる。
【００１７】
主構造物３０において、床部３１Ａ，３１Ｂは、前方の競技場Ｇ側から後方に向けて上がる方向に延びる左右一対の傾斜大梁３３と、当該一対の傾斜大梁３３間に架設された前後一対の構造梁３４とによって支持されている。尚、本実施形態において、傾斜大梁３３の上面は後方に向けて上昇する階段状に形成されており、その上面に階段状の床部３１Ａ，３１Ｂ（床板３２）が設置されている。
【００１８】
主構造物３０は、屋根構造物５０を支持する躯体として構成されている。即ち、主構造物３０には、床部３１Ｂから上方に突出する支柱部４０が設けられている。そして、屋根構造物５０は、前端部と後端部との間に位置する被支持部５１において主構造物３０の支柱部４０に支持され、後端部がバックステイ５５を介して主構造物３０の背面側に繋がれた片持ち式天秤トラス構造が採用されている。即ち、バックステイ５５は鋼管で構成されており、その上端部が上端接続部５６を介して屋根構造物５０の後端側に接続されており、その下端部が下端接続部５７を介して主構造物３０の背面側に接続されている。
以下、本実施形態の建築物１００が備える特徴構成について、説明を加える。
【００１９】
本実施形態の建築物１００は、構造設計の簡素化及び工期短縮を実現可能とするための躯体分割構造を有する。
即ち、躯体分割構造は、図１及び図２に示すように、最前床部１１を有する最前構造物１０が、主床部３１Ａ，３１Ｂを有する主構造物３０から分離して構築され、最前床部１１と主床部３１Ａ，３１Ｂとを連設させる連設部２５を備えて構成されている。
【００２０】
このような躯体分割構造を採用することにより、最前構造物１０と主構造物３０との夫々の建設工事を工種別に並行して行うことで、工期の短縮が図られている。更に、前方側に位置して低い最前床部１１を有する最前構造物１０が後方側に位置する主構造物３０に対して分離されることによって、当該主構造物３０の断面形状は、主床部３１Ａ，３１Ｂの前方に向かう下り傾斜が地盤よりも充分に高い高さまでで終わるような整形なものとなる。このことで、主構造物３０の構造設計が簡素化されると共に、その主構造物３０を構築するために必要な工期が短縮される。
【００２１】
最前構造物１０の高さについては適宜設定することができるが、本実施形態では、図１に示すように、最前構造物１０は、２階床高さ未満の構造物として構成されている。
一方、主構造物３０の高さについても適宜設定することができるが、本実施形態では、主構造物３０は、２階床高さ以上の構造物として構成されている。
即ち、２階床高さ未満の最前構造物１０と２階床高さ以上の主構造物３０とが前後に配置され、当該最前構造物１０が有する最前床部１１と主構造物３０が有する主床部３１Ａが、連設部２５において連設されている。
【００２２】
この構成により、主構造物３０は、１階床高さに満たない部分を有さない一層整形なものとなる。そして、主構造物３０の構造設計が一層簡素化されて工期短縮が図られる。一方、最前構造物１０は、１階層分の内部空間１８を内部に確保可能なものとなる。そして、当該空間１８に面する後方側の壁面１６に適宜出入口１８ａを設けて、当該空間１８が倉庫等として有効利用されている。
【００２３】
最前床部１１と主床部３１Ａとを連設する連設部２５は、図２にも示すように、略２階床高さ部分において、最前構造物１０の最前床部１１の後端部の上面に対して主構造物３０の主床部３１Ａの前端部の下面を沿わせて載置されたものとして構成されている。この構成により、主床部３１Ａと最前床部１１とは、荷重の伝達については縁切りされた状態で前後方向に沿って相対移動可能に連設されることになる。
具体的には、主構造物３０の傾斜大梁３３は、前方の上記連設部２５に向けて片持ち状態で延出する片持ち梁部３３ａを有しており、その片持ち梁部３３ａの上面に設置された床部３１Ａの前端部が、最前構造物１０の最前床部１１の後端部の上面まで延出されている。そして、当該主床部３１Ａの前端部により、最前構造物１０と主構造物３０との間に形成された隙間の上方側の開口部が覆われている。
【００２４】
図２及び図３に示すように、主構造物３０から分離された最前構造物１０については、比較的低重量であることから、それを支持するための基礎は、地盤を改良してなる地盤改良層２２とその上に構築された布基礎２１とからなる直接基礎２０で構成されている。
一方、主構造物３０を支持する基礎については、比較的高重量であることから、それを支持するための基礎は、地盤に設けられた基礎杭４７とその基礎杭４７により支持されたフーチング４６とからなる杭基礎４５で構成されている。
このような基礎構造により、高コスト化及び長工期化の要因となる杭基礎４５の構築範囲が、建築物１００の構築範囲全体ではなく主構造物３０の構築範囲に制限されている。
尚、本実施形態では、最前構造物１０側を直接基礎２０とし、主構造物３０側を杭基礎４５としたが、例えば、最前構造物１０側及び主構造物３０側の双方を直接基礎とする、又は最前構造物１０側及び主構造物３０側の双方を杭基礎とするなどのように、最前構造物１０及び主構造物３０の基礎構造については適宜変更しても構わない。
【００２５】
最前構造物１０では、図３に示すように、直接基礎２０上において前後に延びる複数の支持壁１５が左右方向に沿って並列状態で構築されている。そして、図２にも示すように、この複数の支持壁１５の上面が後方に向けて上昇する階段状の支持部１５ａとして形成されており、最前床部１１を構成するプレキャストコンクリート製の床板１２が、複数の支持壁１５の支持部１５ａに亘って架設される状態で設けられている。この構成により、床板１２を最前床部１１とする最前構造物１０が一層簡単且つ短工期で構築されることになる。
また、最前構造物１０では、左右方向に延びる梁が省略されている、このことで、一層の低コスト化が図られており、更には内部空間１８が充分広く確保されて当該内部空間１８の利用性が向上されている。
尚、この最前構造物１０の構成については、適宜変更することができる。
【符号の説明】
【００２６】
１０            最前構造物
１１            最前床部
１２            床板
１５            支持壁
１５ａ          支持部
２０            基礎
２５            連設部
３０            主構造物
３１Ａ，３１Ｂ  主床部
３２            床板
４５            杭基礎
１００          建築物
Ｇ              競技場
Ｓ              観客席
【図１】
2020084535.tif 000003
【図２】
2020084535.tif 000004
【図３】
2020084535.tif 000005